(57)【要約】【課題】両面画像読取機能を備えた画像読取装置において、同機能による両面画像読取動作中に、ユーザが意図的に何れか一方の面だけの読取動作を停止させることを可能とする画像読取装置を提供すること。【解決手段】原稿Ｄの両面の画像を読取る両面画像読取部８と、面を指定した原稿の画像の読取動作の停止の指示を受付ける表面読取停止キー１４ａ及び裏面読取停止キー１４ｂと、両面画像読取部８により原稿Ｄの画像の読取動作中に、表面読取停止キー１４ａ及び裏面読取停止キー１４ｂが面を指定した原稿の画像の読取動作の停止の指示を受付けたとき、キー１４ａ、１４ｂの選択により指定された面について原稿Ｄの画像の読取動作を停止する画像読取装置１。【選択図】図６
2005217573.tif 000002
【特許請求の範囲】
【請求項１】
原稿の両面の画像を読取る両面画像読取手段と、面を指定した原稿の画像の読取動作の停止の指示を受付ける読取停止指示受付手段と、前記両面画像読取手段により原稿の画像の読取動作中に、前記読取停止指示受付手段が前記指示を受付けたとき、指定された面について原稿の画像の読取動作を停止する手段と、を備えることを特徴とする画像読取装置。
【請求項２】
前記両面画像読取手段による原稿の画像の読取動作中に、表裏各面毎に読取動作中であるか否かを検出する読取面検出手段と、該手段による検出結果に基づいて、読取動作中である面を報知する報知手段を更に備えることを特徴とする請求項１記載の画像読取装置。
【請求項３】
原稿の両面の画像を読取る両面画像読取手段と、該手段による原稿の画像の読取動作中に、表裏各面毎に読取動作中であるか否かを検出する読取面検出手段と、該手段により、表面又は裏面の何れか一方のみが読取動作中であると検出した場合には、その面のみが読取動作中である旨を示すメッセージを表示する一方、表面及び裏面の双方が読取動作中であると検出した場合には、両面が読取動作中である旨を示すメッセージを表示する第１表示手段と、前記両面画像読取手段による原稿の画像の読取動作中に、表面又は裏面を指定した原稿の画像の読取動作の停止の指示をそれぞれ受付ける２個の読取停止キーをタッチパネルにより表示する第２表示手段と、前記２個の読取停止キーの何れか１個が選択されたとき、当該読取停止キーの選択により指定された面について原稿の画像の読取動作を停止する手段と、を備えることを特徴とする画像読取装置。
【発明の詳細な説明】
【技術分野】
【０００１】
本発明は、原稿の両面の画像を読取る両面画像読取機能を備えた画像読取装置に関し、詳しくは、原稿の画像の読取動作中に、ユーザの操作によって読取動作を停止させる機能を備えた画像読取装置に関する。
【背景技術】
【０００２】
近年、１パス両面画像読取機能（２個の画像読取センサをＡＤＦ（自動原稿送給装置）により送給される原稿の表裏各面側にそれぞれ配置して、スイッチバック（反転）することなく原稿の両面の画像を読取る機能）や、ＡＤＦにより送給される原稿をスイッチバックすることにより１個の画像読取センサで原稿の両面の画像を読取る機能など、原稿の両面の画像を読取る両面画像読取機能を備えた画像読取装置が普及している。
【０００３】
かかる画像読取装置においては、原稿の両面の画像の読取動作中に、ユーザによる読取動作を停止すべき操作（以下「読取停止操作」という。）により、直ちに読取動作を停止させることができるものがある。ユーザによる読取停止操作により、原稿の読取動作が停止されたとき、それが表裏何れの面の読取動作中になされるかは、通常、読取停止操作がなされた時点で、表裏何れの面が読取動作中であるかによって決まる。しかし、画像読取装置の画像読取センサは、原稿読取動作中に外部から視認することができないため、ユーザは、読取停止操作を行う時に、表裏何れの面について読取動作中であるかを把握することができず、ユーザが、何れか一方の面だけの読取動作を意図的に停止させることは困難であった。
【０００４】
なお、特許文献１には、片面原稿か両面原稿かを判別して片面原稿と判別した場合に読取用ランプを片面のみ点灯し、両面原稿と判別した場合に読取用ランプを両面点灯する技術が開示されている。
【特許文献１】特開２００３−６９７９１号公報
【発明の開示】
【発明が解決しようとする課題】
【０００５】
本発明は、上記した課題に鑑みてなされたものであり、両面画像読取機能を備えた画像読取装置において、同機能による両面画像読取動作中に、ユーザが意図的に何れか一方の面だけの読取動作を停止させることを可能とする画像読取装置を提供することを目的とする。
【課題を解決するための手段】
【０００６】
上記目的を達成するために、請求項１記載の画像読取装置は、原稿の両面の画像を読取る両面画像読取手段と、面を指定した原稿の画像の読取動作の停止の指示を受付ける読取停止指示受付手段と、前記両面画像読取手段により原稿の画像の読取動作中に、前記読取停止指示受付手段が前記指示を受付けたとき、指定された面について原稿の画像の読取動作を停止する手段と、を備えることを特徴としている。
【０００７】
請求項２記載の画像読取装置は、請求項１記載の画像読取装置において、前記両面画像読取手段による原稿の画像の読取動作中に、表裏各面毎に読取動作中であるか否かを検出する読取面検出手段と、該手段による検出結果に基づいて、読取動作中である面を報知する報知手段を更に備えることを特徴としている。
【０００８】
請求項３記載の画像読取装置は、原稿の両面の画像を読取る両面画像読取手段と、該手段による原稿の画像の読取動作中に、表裏各面毎に読取動作中であるか否かを検出する読取面検出手段と、該手段により、表面又は裏面の何れか一方のみが読取動作中であると検出した場合には、その面のみが読取動作中である旨を示すメッセージを表示する一方、表面及び裏面の双方が読取動作中であると検出された場合には、両面が読取動作中である旨を示すメッセージを表示する第１表示手段と、前記両面画像読取手段による原稿の画像の読取動作中に、表面又は裏面を指定した原稿の画像の読取動作の停止の指示をそれぞれ受付ける２個の読取停止キーをタッチパネルにより表示する第２表示手段と、前記２個の読取停止キーの何れか１個が選択されたとき、当該読取停止キーの選択により指定された面について原稿の画像の読取動作を停止する手段と、を備えることを特徴としている。
【発明の効果】
【０００９】
請求項１記載の画像読取装置によれば、ユーザは、読取停止したい方の面についてのみ意図的に原稿の画像の読取動作を停止させることができる。例えば、ユーザが両面画像読取を行うべき操作をしてスタートキーを押したものの、その後に、原稿の表面又は裏面の画像が不要であることに気付いた場合は、表面又は裏面の画像のみ読取動作を停止させることが可能となる。これにより、ユーザにとって不要な原稿の一方の面の画像がメモリーに蓄積されることや、本発明を複写機に適用した場合にあっては、ユーザにとって不要な画像が用紙の一方の面に複写されること、そのためにトナー等が無駄に消費されることを防止することが可能となる。また、例えば、第１〜５頁が両面原稿であり第６頁以降が片面原稿である場合に全頁の原稿の画像をＡＤＦを利用して一連の処理として読取ることができる。すなわち、両面画像読取機能により１〜５頁の画像を読取り、６頁目を読み込む際に裏面を読取停止すべき面として指定すれば、６頁目以降の原稿については表面の画像のみを読み込ませることができ、これにより、操作の簡略化が図られる。
【００１０】
請求項２記載の画像読取装置によれば、読取動作中の面が報知されるので、ユーザは、現在どの面が読取中であるかを確実に把握できる。これにより、例えば、表面の読取動作が既に終了しているにも拘らず読取停止すべき面として表面を指定するといった無駄な操作を回避することが可能となる。
【００１１】
請求項３記載の画像読取装置によれば、前記した効果が奏されるほか、一時的に原稿の表面と裏面の双方が同時に読取られるという１パス両面画像読取機能特有の読取状態が報知されるので、ユーザはその旨を把握することができ、報知された情報に基づいて、適切なキー操作を行うことができる。また、読取停止キーは画像読取中にのみタッチパネルにより表示されるので、ハード式キーを設ける場合と比較してキーの設置スペースの節約が図られるとともに、読取停止キーの出現により、ユーザは読取停止指示が可能なタイミングを的確に把握することができる。
【発明を実施するための最良の形態】
【００１２】
以下本発明の第１の実施の形態に係る画像読取装置について図面に基づき説明する。本発明の第１及び第２の実施形態では、複写機に適用された画像読取装置を例に挙げて説明するが、勿論、本発明の画像読取装置は、これに限らず、ファクシミリ装置、複合機など原稿の画像の読取りを必要とする種々の装置に適用することができる。
【００１３】
図１に本発明の第１の実施の形態に係る画像読取装置１の構成例を示す。すなわち、画像読取装置１は、ＣＰＵ（中央処理装置）２、ＲＯＭ（リードオンリーメモリー）３、ＲＡＭ（ランダムアクセスメモリー）４、ページメモリ５、画像メモリ６、コーデック（ＣＯＤＥＣ）７、読取部８、表示部９、操作部１０及び記録部１１を備えたものであって、各部２乃至１１はバス１２によって接続されている。
【００１４】
ＣＰＵ２は、ＲＯＭ３に格納された制御プログラムに従って、この画像読取装置１を構成する各部を制御する制御手段として機能する。ＲＡＭ４は、ＣＰＵ２の主メモリ、ワークエリア等として機能する。ページメモリ５は、読取部８で読み取られた画像データを一時的に記憶する。画像メモリ６は、ページメモリ５内の画像データがコーデック７によって圧縮符号化された画像データ等を蓄積する。コーデック７は、ページメモリ５に一時的に記憶された画像データを所定方式にしたがって符号化し又は画像メモリ６に格納された画像データを復号する。
【００１５】
読取部８は、ＡＤＦ（自動原稿送給装置）、原稿の両面の画像をスイッチバック（反転）することなく読取る１パス両面画像読取手段、読取った画像の処理回路等を備える。１パス両面画像読取手段は、２個の画像読取センサ８ａ、８ｂが、ＡＤＦにより送給される原稿の通路の表裏各面側にそれぞれ１個ずつ設けられることにより、スイッチバックすることなく原稿の表裏各面の画像を読取るものである。また、２個の画像読取センサ８ａ、８ｂは原稿送給方向に前後して設けられている（図３参照）。画像読取センサ８ａ、８ｂは、図示しない、ＣＣＤカラーラインセンサ、Ａ／Ｄコンバータ等を具備し、ＣＣＤカラーラインセンサにより原稿を読取って、Ａ／Ｄ変換された画像データは、所定の画像処理が施されて、ページメモリ５へ張り付けられ、ページメモリ５に張り付けた画像データは、コーデック７を介して或いはコーデック７を介さずに画像メモリ６へ格納される。
【００１６】
表示部９は、例えば操作部１０に並設されたタッチパネルからなり、後述する原稿読取状態表示画面など、種々の情報を表示する表示手段として、また、タッチパネルを通じてユーザの指示、例えば原稿の読取動作の停止の指示を受付ける手段として機能する。操作部１０は、ユーザが情報を入力する入力キーなどを具備し、ユーザによる各種の操作は、この操作部１０又は前記タッチパネル式の表示部９において行われる。勿論、表示部９をタッチパネル式ではなく単なるＬＣＤ（Ｌｉｑｕｉｄ  Ｃｒｙｓｔａｌ  Ｄｉｓｐｌａｙ）とし、ユーザの入力操作を全て操作部１０から行うように構成し、操作部１０を原稿の読取動作の停止指示等を受付ける手段として機能させてもよい。
【００１７】
１パス両面画像読取手段を備えた画像読取装置１は、同手段により原稿の両面の画像を読取る処理動作を行うとき、表裏各面毎に原稿の画像の読取動作中であるか否かを検出し、これを報知する手段を備える。またそのとき、表面又は裏面を指定した原稿の画像の読取動作の停止の指示をそれぞれ受付ける２個の読取停止キーをタッチパネルに表示する。そして、画像読取装置１は、ユーザによって表示されている読取停止キーの何れか１個が選択されると、その選択により指定された面について原稿の画像の読取動作を停止するように動作する。
【００１８】
以下、かかる画像読取装置１の処理動作を図２に示すフローチャート及び図３乃至図５に示す原稿Ｄと画像読取センサ８ａ、８ｂとの位置関係を示す説明図に基づいて行う。なお、フローチャートに基づいて説明する画像読取装置１の処理動作は、ＲＯＭ３に格納された制御プログラムに基づき制御手段であるＣＰＵ２が発行する命令に従って行われる。また、図３乃至図５の原稿Ｄと画像読取センサ８ａ、８ｂとの位置関係を示す説明図は、原稿Ｄが送給される様子を、時系列に従って（ａ）、（ｂ）、・・・（ｅ）の順に変化する様子を現している。
【００１９】
先ず最初に、ユーザによって、読取部８の原稿トレイ（不図示）に原稿がセットされ、操作部１０において、原稿の両面の画像を読取るべき操作がなされると、図３（ａ）に示すように、原稿トレイにセットされた原稿ＤがＡＤＦの搬送ローラ１２等によって画像読取センサ８ａ、８ｂの方へ搬送され、同時に、図６（ａ）に示すように、表示部９に原稿読取状態等を表示する画面１３（以下「原稿読み取り状態表示画面１３」という。）が表示される（Ｓ１）。この画面１３においては、図示するように、読取動作中の原稿の頁数を示す情報１５、前記した表面及び裏面読取停止キー１４ａ、１４ｂ、「表面読取中」の表示１６ａ、「裏面読取中」の表示１６ｂが表示される。
【００２０】
また、原稿Ｄの画像の読取動作が開始すると、読取動作中の原稿Ｄの表裏各面毎に読取動作中であるか否かの検出が各画像読取センサ８ａ、８ｂによってなされる。すなわち、表面用画像読取センサ８ａによって原稿が検出されている場合は、表面が読取動作中であるとして検出され、裏面用画像読取センサ８ｂによって原稿が検出されている場合は、裏面が読取動作中であるとして検出される。
【００２１】
図３（ｂ）又は図４（ｃ）に示すように、原稿Ｄが表面用画像読取センサ８ａによって検出されており、原稿の表面の画像が読取動作中であると判断した場合には（Ｓ２：ＹＥＳ）、原稿の表面が読取動作中である旨を、表示により報知する（Ｓ３）。具体的には、例えば図６（ｂ）、図７（ｃ）に示すように、「表面読取中」の表示１６ａの反転表示を、原稿の表面が読取動作中である旨を示すメッセージの表示として行う。なお、原稿の表面が読取動作中である旨を示すメッセージは、原稿の表面が読取動作中であることをユーザに報知できるものであれば、かかる表示形態に限定されない。また、その報知手段は、ユーザに報知することができれば、表示手段に限定されず、例えば音声によるメッセージ等により報知してもよい。以下、本明細書において説明する表示形態、報知手段も同様である。
【００２２】
つぎに、表面読取停止キー１４ａが選択されたか否かを判断し、選択されたと判断した場合には（Ｓ４：ＹＥＳ）、その表面読取停止キー１４ａの選択により指定された面である原稿の表面についての読取動作を停止する（Ｓ５）。
【００２３】
一方、図３（ａ）、図４（ｄ）又は図５（ｅ）に示すように、原稿Ｄが表面用画像読取センサ８ａによって検出されておらず、原稿の表面の画像が読取動作中ではないと判断した場合には（Ｓ２：ＮＯ）、原稿の表面が読取動作中である旨の報知を終了する（報知がなされていない場合は、その状態を継続する。）（Ｓ６）。
【００２４】
Ｓ４での否定判断、Ｓ５又はＳ６の処理動作に続いて、図４（ｃ）又は図４（ｄ）に示すように、原稿Ｄが裏面用画像読取センサ８ｂによって検出されており、原稿の裏面の画像が読取動作中であると判断した場合には（Ｓ７：ＹＥＳ）、原稿の裏面が読取動作中である旨を、表示により報知する（Ｓ８）。具体的には、例えば図７（ｃ）、図７（ｄ）に示すように、「裏面読取中」の表示１６ｂの反転表示を、原稿の裏面が読取動作中である旨を示すメッセージの表示として行う。
【００２５】
次いで、裏面読取停止キー１４ｂが選択されたか否かを判断し、選択されたと判断した場合には（Ｓ９：ＹＥＳ）、その裏面読取停止キー１４ｂの選択により指定された面である原稿の裏面についての読取動作を停止する（Ｓ１０）。
【００２６】
一方、図３（ａ）、図３（ｂ）又は図５（ｅ）に示すように、原稿Ｄが裏面用画像読取センサ８ｂによって検出されておらず、原稿の裏面の画像が読取動作中ではないと判断した場合は（Ｓ７：ＮＯ）、原稿の裏面が読取動作中である旨の報知を終了する（報知がなされていない場合は、その状態を継続する。）（Ｓ１１）。
【００２７】
Ｓ９での否定判断、Ｓ１０又はＳ１１の処理動作に続いて、読取動作が継続中であるか否かを判断し、継続中である場合には、Ｓ１へ移行して上記した処理動作を繰り返す（Ｓ１２：ＹＥＳ）。ユーザがセットした原稿の全頁についての読取が完了した場合や表面読取停止キーと裏面読取停止キーの双方が選択されて両面の読取動作が停止された場合など、読取動作が継続中でない場合には（Ｓ１２：ＮＯ）、原稿読取状態表示画面１３の表示を終了する。つまり、読取動作中の面を示すメッセージの表示１６ａ、１６ｂ、読取停止キー１４ａ、１４ｂ、読取動作中の頁数の表示１５を終了する（Ｓ１３）。
【００２８】
以上説明した第１の実施の形態に係る画像読取装置１は、原稿の両面の画像を読取る両面画像読取手段として１パス両面画像読取手段を備えるものであるが、これに代えてスイッチバック式のものを適用し、上記した一連の処理動作を実行することも可能である。すなわち、画像読取センサが１個になっても、前記Ｓ２、Ｓ７の表面、裏面が読取動作中であるか否かの判断は、スイッチバック前の画像読取センサによる原稿の検出時を表面読取動作中として検出し、スイッチバック後の画像読取センサによる原稿の検出時を裏面読取動作中として検出することにより行うことができる。
【００２９】
以下、本発明の第２の実施の形態に係る画像読取装置について説明する。なお、第１の実施の形態に係る画像読取装置と同様の構成については同符号を付してその説明を省略し、相違点についてのみ説明する。第２の実施の形態に係る画像読取装置は、原稿の両面の画像を読取る動作中に、読取動作中の原稿の面として、表面のみ、裏面のみ或いは両面が読取動作中であることを報知するように構成されている点において相違する。以下、図８のフローチャートと図９及び図１０に示す原稿読取状態表示画面１３Ａに基づいてさらに詳細に説明する。
【００３０】
先ず最初に、ユーザによって、読取部８の原稿トレイ（不図示）に原稿がセットされ、操作部１０において、原稿の両面の画像を読取るべき操作がなされると、図３（ａ）に示すように、原稿トレイにセットされた原稿ＤがＡＤＦの搬送ローラ１２等によって画像読取センサ８ａ、８ｂの方へ搬送され、同時に、図９（ａ）に示すように、表示部９に原稿読み取り状態表示画面１３Ａが表示される（Ｓ５１）。この画面１３Ａにおいては、図示するように、読取動作中の原稿の頁数を示す情報１５、表面及び裏面読取停止キー１４ａ、１４ｂ、「表面読取中」の表示１６ａ、「裏面読取中」の表示１６ｂ、及び「両面読取中」の表示１６ｃが表示される。
【００３１】
また、原稿Ｄの画像の読取動作が開始されると、第１の実施形態で説明したように、読取動作中の原稿Ｄの表裏各面毎に読取動作中であるか否かの検出が各画像読取センサ８ａ、８ｂによってなされる。
【００３２】
図３（ｂ）に示すように、原稿Ｄが表面用画像読取センサ８ａによってのみ検出されており、原稿の表面の画像のみが読取動作中であると判断した場合には（Ｓ５２：ＹＥＳ）、原稿の表面のみが読取動作中である旨を、表示により報知する（Ｓ５３）。具体的には、例えば図９（ｂ）に示すように、「表面読取中」の表示１６ａの反転表示を、原稿の表面が読取動作中である旨を示すメッセージの表示として行う。
【００３３】
つぎに、表面読取停止キー１４ａが選択されたか否かを判断し、選択されたと判断した場合には（Ｓ５４：ＹＥＳ）、その表面読取停止キー１４ａの選択により指定された面である原稿の表面についての読取動作を停止する（Ｓ５５）。
【００３４】
一方、図３（ａ）、図４（ｃ）、図４（ｄ）又は図５（ｅ）に示すように、原稿Ｄが表面用画像読取センサ８ａによってのみ検出され、原稿の表面の画像のみが読取動作中であるといえない場合（Ｓ５２：ＮＯ）、原稿の表面のみが読取動作中である旨の報知を終了する（該報知がなされていない場合は、その状態を継続する。）（Ｓ５６）。
【００３５】
Ｓ５４の否定判断、Ｓ５５又はＳ５６の処理動作に続いて、図４（ｃ）に示すように、原稿Ｄが双方の画像読取センサ８ａ、８ｂによって検出されており、原稿の両面の画像が読取動作中であると判断した場合には（Ｓ５７：ＹＥＳ）、原稿の両面が読取動作中である旨を、表示により報知する（Ｓ５８）。具体的には、例えば図１０（ｃ）に示すように、「両面読取中」の表示１６ｃの反転表示を、原稿の両面が読取動作中である旨を示すメッセージの表示として行う。
【００３６】
次いで、表面読取停止キー１４ａ又は裏面読取停止キー１４ｂが選択されたか否かを判断し、選択されたと判断した場合には（Ｓ５９：ＹＥＳ）、当該キー１４ａ、１４ｂの選択により指定された面についての読取動作を停止する（Ｓ６０）。なお、Ｓ５９、Ｓ６０の処理動作は省略してもよい。つまり、前記Ｓ５５及び後記Ｓ６５の処理動作により表面及び裏面についての読取動作を停止させることが可能であるからである。
【００３７】
一方、図３（ａ）、図３（ｂ）、図４（ｄ）又は図５（ｅ）に示すように、原稿Ｄが双方の画像読取センサ８ａ、８ｂによって検出されておらず、原稿の両面が読取動作中ではない場合（Ｓ５７：ＮＯ）、原稿の両面が読取動作中である旨の報知を終了する（該報知がなされていない場合は、その状態を継続する。）（Ｓ６１）。
【００３８】
Ｓ５９の否定判断、Ｓ６０又はＳ６１の処理動作に続いて、図４（ｄ）に示すように、原稿Ｄが裏面用画像読取センサ８ｂによってのみ検出されており、原稿の裏面の画像のみが読取動作中であると判断した場合には（Ｓ６２：ＹＥＳ）、原稿の裏面のみが読取動作中である旨を、表示により報知する（Ｓ６３）。具体的には、例えば図１０（ｄ）に示すように、「裏面読取中」の表示１６ｂの反転表示を、原稿の裏面が読取動作中である旨を示すメッセージの表示として行う。
【００３９】
つぎに、裏面読取停止キー１４ｂが選択されたか否かを判断し、選択されたと判断した場合には（Ｓ６４：ＹＥＳ）、その裏面読取停止キー１４ｂの選択により指定された面である原稿の裏面についての読取動作を停止する（Ｓ６５）、
【００４０】
一方、図３（ａ）、図３（ｂ）、図４（ｃ）又は図５（ｅ）に示すように、原稿Ｄが裏面用画像読取センサ８ｂによってのみ検出され、原稿の裏面の画像のみが読取動作中であるといえない場合（Ｓ６２：ＮＯ）、原稿の裏面のみが読取動作中である旨の報知を終了する（該報知がなされていない場合は、その状態を継続する。）（Ｓ６６）。
【００４１】
Ｓ６４の否定判断、Ｓ６５又はＳ６６の処理動作に続いて、読取動作が継続中であるか否かを判断し、継続中である場合には、Ｓ５１へ移行して上記した処理動作を繰り返す（Ｓ６７：ＮＯ）。ユーザがセットした原稿の全頁の読取処理が完了した場合や表面読取停止キーと裏面読取停止キーの双方が選択されて両面の読取動作が停止した場合など、読取動作が終了している場合には（Ｓ６７：ＹＥＳ）、上記した原稿読取状態表示画面１３Ａの表示を終了する。つまり、読取中の面を示すメッセージの表示１６ａ乃至１６ｃ、読取停止キー１４ａ、１４ｂ、読取動作中の頁数の表示１５を終了する（Ｓ６８）。
【００４２】
以上の説明から明らかなように本発明の第１又は第２の実施の形態に係る画像読取装置によれば、ユーザは、読取停止したい方の面についてのみ意図的に原稿の画像の読取動作を停止させることができる。例えば、ユーザが両面画像読取を行うべき操作をしてスタートキーを押したものの、その後に、原稿の表面又は裏面の画像が不要であることに気付いた場合は、一方の面の画像のみの読取動作を停止させることができる。また、読取動作中の面及び頁数が報知されるので、ユーザは、現在どの頁のどの面が読取中であるかを確実に把握でき、これにより、特定の頁の何れかの面の読取動作を狙って画像の読取動作を停止させることも可能である。
【００４３】
このように、ユーザにとって不要な原稿の一方の面の画像の読取動作を停止させることにより、ユーザにとって必要のない画像、例えば原稿の裏面が白紙頁になっている場合にその裏面の画像がメモリーに蓄積されるという不都合を回避することができる。また、本発明を複写機に適用した場合にあっては、ユーザにとって不要な画像が用紙の一方の面に複写されること、そのためにトナー、電力等が無駄に消費されることが未然に防止される。
【００４４】
また、第２の実施の形態に係る画像読取装置によれば、一時的に原稿の表面と裏面の双方が同時に読取られるという１パス両面画像読取機能特有の読取状態が報知されるので、ユーザはそのことを正確に把握することができ、報知された情報に基づいて、適切なキー操作を行うことができる。また、読取停止キーは画像読取中にのみタッチパネルにより表示されるので、ハード式キーを設ける場合と比較してキーの設置スペースの節約が図られるとともに、読取動作が行われている間においてのみ読取停止キーが出現するので、ユーザは読取停止指示の可能なタイミングを的確に把握することができる。
【産業上の利用可能性】
【００４５】
本発明は、例えば、原稿の両面画像読取機能を備えたファクシミリ装置、複写機、複合機などの画像読取装置に適用することができる。
【図面の簡単な説明】
【００４６】
【図１】本発明の実施の形態に係る画像読取装置の構成例を示した図である。
【図２】第１の実施の形態に係る画像読取装置が行う処理動作を示したフローチャートである。
【図３】原稿が画像読取センサの方へ搬送される際に、原稿と表面用及び裏面用画像読取センサとの位置関係を説明するための概略図である。
【図４】原稿が画像読取センサの方へ搬送される際に、原稿と表面用及び裏面用画像読取センサとの位置関係を説明するための概略図である。
【図５】原稿が画像読取センサの方へ搬送される際に、原稿と表面用及び裏面用画像読取センサとの位置関係を説明するための概略図である。
【図６】第１の実施の形態に係る原稿読取状態表示画面の例を示した図である。
【図７】第１の実施の形態に係る原稿読取状態表示画面の例を示した図である。
【図８】第２の実施の形態に係る画像読取装置が行う処理動作を示したフローチャートである。
【図９】第２の実施の形態に係る原稿読取状態表示画面の例を示した図である。
【図１０】第２の実施の形態に係る原稿読取状態表示画面の例を示した図である。
【符号の説明】
【００４７】
１    画像読取装置
２    ＣＰＵ
３    ＲＯＭ
４    ＲＡＭ
８    読取部
８ａ、８ｂ    画像読取センサ
９    表示部
１０    操作部
１３    原稿読取状態表示画面
１４ａ    表面読取停止キー
１４ｂ    裏面読取停止キー
１６ａ    表面が読取中である旨を示すメッセージ
１６ｂ    裏面が読取中である旨を示すメッセージ
【図１】
2005217573.tif 000003
【図２】
2005217573.tif 000004
【図３】
2005217573.tif 000005
【図４】
2005217573.tif 000006
【図５】
2005217573.tif 000007
【図６】
2005217573.tif 000008
【図７】
2005217573.tif 000009
【図８】
2005217573.tif 000010
【図９】
2005217573.tif 000011
【図１０】
2005217573.tif 000012